(57)【要約】【課題】耐障害性能を高めた放送局ネットワークシステムを低コストで提供すること。【解決手段】映像系ネットワークＶＮを構成するマトリクス装置１０に変換器１００を備え、映像系ネットワークＶＮを伝送される映像信号と、蓄積系ネットワークＳＮ１，ＳＮ２を伝送されるデータ信号との間での信号フォーマットを互いに変換することにより、映像系ネットワークＶＮと蓄積系ネットワークＳＮ１，ＳＮ２との相互通信を可能とする。そして、マトリクス装置１０に蓄積系ネットワークＳＮ１，ＳＮ２を接続することにより、伝送路Ｎに障害が発生した場合には映像系ネットワークＶＮを経由する迂回経路を形成する。【選択図】      図１
2007081947.tif 000002
【特許請求の範囲】
【請求項１】
複数のノード間で映像信号を授受しあう映像系ネットワークと、伝送路を介してデータ信号を授受しあう複数の蓄積系ネットワークとを具備する放送局ネットワークであって、
前記複数のノードは、前記映像信号を複数のチャネルごとに分配するマトリクス装置を備え、
このマトリクス装置は、前記複数のチャネルごとに設けられる複数のインタフェースユニットを備え、
前記複数のインタフェースユニットのうち少なくとも１つは、前記映像信号と前記データ信号との間での信号フォーマットを互いに変換する変換器を備え、
前記複数の蓄積系ネットワークを前記変換器を備える前記インタフェースユニットに接続し、前記伝送路に障害が発生した場合に当該複数の蓄積系ネットワークを前記映像系ネットワークを介して接続する迂回経路を形成するようにしたことを特徴とする放送局ネットワークシステム。
【請求項２】
前記伝送路はファイバチャネルであり、前記複数の蓄積系ネットワークは前記ファイバチャネルを介して前記インタフェースユニットに接続されることを特徴とする請求項１に記載の放送局ネットワークシステム。
【請求項３】
複数のノード間で映像信号を授受しあう映像系ネットワークおよび伝送路を介してデータ信号を授受しあう複数の蓄積系ネットワークを具備する放送局ネットワークに設けられ、前記映像信号を複数のチャネルごとに分配するマトリクス装置であって、
前記複数のチャネルごとに設けられる複数のインタフェースユニットを備え、
前記複数のインタフェースユニットのうち少なくとも１つは、前記映像信号と前記データ信号との間での信号フォーマットを互いに変換する変換器を備えることを特徴とするマトリクス装置。
【発明の詳細な説明】
【技術分野】
【０００１】
この発明は、映像編集室や放送設備などを通信網を介して接続した放送局ネットワークシステムと、このシステムに用いられるマトリクス装置に関する。
【背景技術】
【０００２】
近年の放送局設備においては、回線設備、送信設備、制作室、編集室などを局内ＬＡＮ（Local Area Network）を介して接続し、ネットワーク化することが多い。この映像系ネットワークとは別に、映像データをサーバ装置などに蓄積して再利用するための蓄積系ネットワークが構築され始めている。多くの場合、映像系ネットワークと蓄積系ネットワークとの間には信号の互換性が無く、両ネットワークは互いに独立した形で構築される。
【０００３】
ところで、放送局システムにおいてはシステムダウンを防止することが重要視される。この要請に応えるため既存のシステムにおいては、現用系および予備系を備えた二重化により障害の発生に対応するようにしている（例えば特許文献１を参照）。しかしながらよく知られているように二重化構成にはコストがかかるというデメリットがあり、低コスト化を要請される現場ではこれに代わる何らかの対処が望まれている。
【特許文献１】特開２００５−３３５１０号公報
【発明の開示】
【発明が解決しようとする課題】
【０００４】
以上述べたように既存の放送局ネットワークシステムにおいては耐障害性を高めるために二重化による冗長構成をとるようにしているが、コストがかかるという難点がある。  
この発明は上記事情によりなされたもので、その目的は、耐障害性能を高めた放送局ネットワークシステムおよびマトリクス装置を低コストで提供することにある。
【０００５】
を提供することにある。
【課題を解決するための手段】
【０００６】
上記目的を達成するためにこの発明の一態様によれば、複数のノード間で映像信号を授受しあう映像系ネットワークと、伝送路を介してデータ信号を授受しあう複数の蓄積系ネットワークとを具備する放送局ネットワークであって、前記複数のノードは、前記映像信号を複数のチャネルごとに分配するマトリクス装置を備え、このマトリクス装置は、前記複数のチャネルごとに設けられる複数のインタフェースユニットを備え、前記複数のインタフェースユニットのうち少なくとも１つは、前記映像信号と前記データ信号との間での信号フォーマットを互いに変換する変換器を備え、前記複数の蓄積系ネットワークを前記変換器を備える前記インタフェースユニットに接続し、前記伝送路に障害が発生した場合に当該複数の蓄積系ネットワークを前記映像系ネットワークを介して接続する迂回経路を形成するようにしたことを特徴とする放送局ネットワークシステムが提供される。
【０００７】
このような手段を講じることにより、変換器により映像系ネットワークと蓄積系ネットワークとの間での信号フォーマットが互いに変換され、この変換器を経由することで両ネットワークの相互通信が可能になる。従って蓄積形ネットワーク間を接続する伝送路に障害が発生した場合に映像系ネットワークを介した迂回路を形成することが可能になり、これにより耐障害性能を高めることが可能になる。
【発明の効果】
【０００８】
この発明によれば、耐障害性能を高めた放送局ネットワークシステムおよびマトリクス装置を低コストで提供することができる。
【発明を実施するための最良の形態】
【０００９】
図１は、この発明に係わる放送局ネットワークシステムの実施の形態を示すシステム図である。このシステムは複数のノード間で映像信号を授受しあう映像系ネットワークＶＮと、伝送路Ｌを介してデータ信号を授受しあう蓄積系ネットワークＳＮ１，ＳＮ２とを具備する。このうち映像系ネットワークＶＮは、回線設備、送信設備、制作室、編集室の４つのノードを備える。各ノードはマトリクス装置（ＭＴＸ）１０を備える。このマトリクス装置１０は映像信号を複数のチャネルごとに分配するもので、回線設備、編集室、制作室、および編集室への映像信号はマトリクス装置１０により分配される。一方、蓄積系のデータは、蓄積系ネットワークＳＮ１，ＳＮ２の間で伝送路Ｌを介して伝送される。伝送路Ｌは例えばファイバチャネルなどにより、汎用または独自に設計されたインタフェースを介してデータ信号を伝送する。  
図１において、蓄積系ネットワークＳＮ１は、編集室のマトリクス装置１０にファイバチャネルＦＣを介して接続される。また蓄積系ネットワークＳＮ２は、製作室のマトリクス装置１０にファイバチャネルＦＣを介して接続される。
【００１０】
図２は、図１のマトリクス装置１０の実施の形態を示す機能ブロック図である。マトリクス装置１０は、入力インタフェース部Ｉ１〜Ｉｍおよび出力インタフェース部Ｏ１〜Ｏｍと、これらのインタフェース部を介して伝送される信号の経路を交換するクロスポイントＸＰとを備える。入力インタフェース部Ｉ１，Ｉ２および出力インタフェース部Ｏ１，Ｏ２には映像系ネットワークを伝送される、例えば１６チャネルの映像信号が接続される。
【００１１】
ここで、入力インタフェース部Ｉｍおよび出力インタフェース部Ｏｍは、変換器１００を備える。変換器１００は、映像系ネットワークＶＮを伝送される映像信号と、蓄積系ネットワークＳＮ１，ＳＮ２を伝送されるデータ信号との間での信号フォーマットを互いに変換する。すなわち変換部１００は、ファイバチャネルＦＣを介して入力されるデータ信号のフォーマットを、映像系ネットワークＶＮを介して伝送可能な形態に変換する。また変換部１００は、映像系ネットワークＶＮを伝送される映像信号のフォーマットを、ファイバチャネルＦＣを介して出力可能な形態に変換する。従って、変換器１００を経由することで映像系ネットワークＶＮと蓄積系ネットワークＳＮ１，ＳＮ２との相互通信が可能になる。
【００１２】
図３は、比較のため既存の放送局ネットワークシステムを示すシステム図である。既存の技術では、蓄積系ネットワークＳＮは映像系ネットワークＶＮとは別に、独立するかたちで構成されている場合が多い。このような場合、線路断等の障害に対応するためには伝送路を現用系Ｌ０と予備系Ｌ１とに二重化するようにしている。このような冗長構成による障害回避策は、単純であるもののコストがかかるというデメリットがある。
【００１３】
これに対し本実施形態では、映像系ネットワークＶＮを構成するマトリクス装置１０に変換器１００を備え、映像系ネットワークＶＮを伝送される映像信号と、蓄積系ネットワークＳＮ１，ＳＮ２を伝送されるデータ信号との間での信号フォーマットを互いに変換することにより、映像系ネットワークＶＮと蓄積系ネットワークＳＮ１，ＳＮ２との相互通信を可能とする。そして、マトリクス装置１０に蓄積系ネットワークＳＮ１，ＳＮ２を接続することにより、伝送路Ｎに障害が発生した場合には映像系ネットワークＶＮを経由する迂回経路を形成するようにする。これにより、二重化構成を確立するまでもなく既存の設備を用いて迂回経路を確立することができるようになる。すなわち、蓄積形ネットワークＳ１，Ｓ２間を接続する伝送路Ｌに障害が発生した場合に映像系ネットワークＶＮを介した迂回路を形成することが可能になり、これにより耐障害性能を高めることが可能になる。これらのことから、耐障害性能を高めた放送局ネットワークシステムを低コストで提供することが可能となる。
【００１４】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１５】
【図１】この発明に係わる放送局ネットワークシステムの実施の形態を示すシステム図。
【図２】図１のマトリクス装置１０の実施の形態を示す機能ブロック図。
【図３】比較のため既存の放送局ネットワークシステムを示すシステム図。
【符号の説明】
【００１６】
ＶＮ…映像系ネットワーク、Ｌ…伝送路、ＳＮ１，ＳＮ２…蓄積系ネットワーク、10…マトリクス装置、ＦＣ…ファイバチャネル、Ｉ１〜Ｉｍ…入力インタフェース部、Ｏ１〜Ｏｍ…出力インタフェース部、ＸＰ…クロスポイント、100…変換器、Ｌ０…現用系伝送路、Ｌ１…予備系伝送路
【図１】
2007081947.tif 000003
【図２】
2007081947.tif 000004
【図３】
2007081947.tif 000005